(57)【要約】【課題】自動取引装置を利用している顧客が携帯電話で通話しているときに振込め詐欺に対する注意を喚起するための手段を提供する。【解決手段】映像監視端末１０は、装置監視カメラ７から受信した顧客の映像をもとに、自動取引装置を利用している顧客が通話中のとき、その電話にコードが接続しているか否かを確認し、コードが接続しているときに問い合せ用電話機６と判定し、コードが接続していないときにその電話が携帯電話であると判定し、その携帯電話の使用時間の計測を開始して、使用時間が所定時間を経過したときに振込め詐欺に対する注意を喚起する文言を自動取引装置１に表示させる。【選択図】図１
2010204901.tif 000002
【特許請求の範囲】
【請求項１】
顧客が金融機関の係員と通話するために自動取引装置に備え付けられた問い合せ用電話機と、自動取引装置を利用している顧客を撮影する監視カメラと、該監視カメラで撮影された顧客の映像を受信する映像監視端末とを備え、
前記映像監視端末は、受信した映像を解析手段が解析して自動取引装置を利用している顧客が通話中であることを確認したとき、その電話が前記問い合せ用電話機か顧客の携帯電話のどちらであるかを判定手段が判定し、携帯電話と判定した場合にその使用時間の計測を開始して、使用時間が所定時間を経過したときに、振込め詐欺に対する注意を喚起する画面を表示させる電文を前記自動取引装置に送信することを特徴とする監視システム。
【請求項２】
請求項１に記載の監視システムにおいて、
前記映像監視端末は、受信した映像をもとに、前記判定手段が通話中の顧客が保持する電話にコードが接続しているか否かを確認し、コードが接続しているときに前記問い合せ用電話機と判定し、コードが接続していないときに顧客が使用している電話は携帯電話であると判定することを特徴とする監視システム。
【請求項３】
請求項１に記載の監視システムにおいて、
前記映像監視端末は、前記問い合せ用電話機と電話線によって接続することで、前記問い合せ用電話機が未使用か使用中かを示す情報を取得すると共に、取得した情報を記憶手段に記憶し、
顧客が通話中のときに前記判定手段が前記記憶手段から前記情報を読み出し、その情報から問い合せ用電話機が未使用のとき、顧客が使用している電話は携帯電話であると判定することを特徴とする監視システム。
【発明の詳細な説明】
【技術分野】
【０００１】
本発明は、自動取引装置を監視する監視システムに関するものであり、特に振込詐欺等の詐欺の被害を受ける可能性のある顧客に注意喚起を促しながらも、詐欺の被害を受ける可能性のない顧客に対しては注意喚起を促さないようにするものである。
【背景技術】
【０００２】
従来の監視システムは、自動取引装置で取引を行っている顧客を監視カメラで撮影し、その撮影した映像を自動取引装置に送信し、自動取引装置の制御部が画像処理技術により、顧客が携帯電話で会話をしている状況、つまり携帯電話を耳にあてている状況で自動取引装置を操作しているかどうかを判定して、判定結果で顧客は携帯電話を耳にあてている場合に、自動取引装置の表示画面に取引状況を確認する質問を表示すると共にその回答を顧客に入力させると共に、その回答の内容に応じて振込め詐欺の可能性を示唆すると共に詐欺についての警告画面を表示するようにしている（例えば、特許文献１参照。）。
【特許文献１】特開２００８−１９７９３９号公報（段落「００３７」−段落「００４５」、図４）
【発明の開示】
【発明が解決しようとする課題】
【０００３】
一般的に自動取引装置の傍に顧客が金融機関の係員への問い合せ等を行うための問い合せ用電話機が備え付けられている場合があり、操作方法等についての質問がある顧客は自動取引装置の前で問い合せ用電話機を利用するようになる。
【０００４】
しかしながら、上述した従来の技術においては、顧客が問い合せ用電話機を利用している場合と携帯電話を利用している場合とを区別できないため、問い合せ用電話機を利用している顧客に対してまでも、携帯電話を使用しながら取引を行っているものと同様の判断して、自動取引装置の取引状況を確認する質問を表示することとなってしまうことになり、携帯電話を使用していない顧客に対して煩わしさを感じさせてしまうことになるという問題がある。
【０００５】
本発明は、上記の問題点を解決するための手段を提供することを目的とする。
【課題を解決するための手段】
【０００６】
本発明は、上記課題を解決するために、顧客が金融機関の係員と通話するために自動取引装置に備え付けられた問い合せ用電話機と、自動取引装置を利用している顧客を撮影する監視カメラと、該監視カメラで撮影された顧客の映像を受信する映像監視端末とを備え、前記映像監視端末は、受信した映像を解析手段が解析して自動取引装置を利用している顧客が通話中であることを確認したとき、その電話が前記問い合せ用電話機か顧客の携帯電話のどちらであるかを判定手段が判定し、携帯電話と判定した場合にその使用時間の計測を開始して、使用時間が所定時間を経過したときに、振込め詐欺に対する注意を喚起する画面を表示させる電文を前記自動取引装置に送信することを特徴とする。
【発明の効果】
【０００７】
これにより、本発明は、自動取引装置を利用中の顧客が通話しているときに、その通話が携帯電話であることを特定した場合のみ自動取引装置に振込め詐欺に対する注意を喚起する画面を表示するため、その通話が問い合せ用電話機を使用しているときには振込め詐欺に対する注意を喚起する画面を表示しないようにすることで、顧客に煩わしさを与えてしまうことを防止することができるという効果が得られる。
【図面の簡単な説明】
【０００８】
【図１】実施例１の監視システムを示すブロック図
【図２】実施例１の監視システムの動作を示すフローチャート
【図３】通話中の顧客の後ろ姿を示す説明図
【図４】実施例２の監視システムを示すブロック図
【図５】実施例２の監視システムの動作を示すフローチャート
【発明を実施するための最良の形態】
【０００９】
以下に、図面を参照して本発明による監視端末の実施例について説明する。
【実施例１】
【００１０】
図１は実施例１の監視端末を含んだ監視システムを示すブロック図である。
【００１１】
図１において、１は銀行等の金融機関の営業店やコンビニエンスストア等の店舗に設置される自動取引装置で、紙幣の入出金を行う紙幣入出金部、硬貨の入出金を行う硬貨入出金部、カードの読書きを行うカードリードライト部、レシートの発行を行うレシートプリンタ、通帳に印字を行う通帳記帳部等を備え、顧客との間で取引を自動で行う。
【００１２】
２は自動取引装置１の制御部であり、記憶部３に格納された制御プログラムに基づいて自動取引装置１の各部を制御して各種の取引を遂行する機能を有する他、通信回線を介して顧客情報等を管理するホストコンピュータと通信を行う。
【００１３】
記憶部３は、制御部２が実行する制御のための制御プログラムを格納し、さらに制御部２による処理結果等を記憶する。
【００１４】
５は表示操作部であり、自動取引装置１正面の接客面に露出させて設けられており、表示面を上に向けたＣＲＴディスプレイまたは液晶ディスプレイ等の表示部と、表示部上に配置したタッチパネルの入力部により構成され、表示部に顧客の操作を誘導するメッセージを配した画面や各種の入力キーを表示し、その入力キーをタッチパネル上から指で押下することにより、入力キーに定義された情報を入力できるものとなっていて、表示部は入力された情報の表示等も行うようになっている。
【００１５】
６は問い合せ用電話機であり、自動取引装置１の前面に取り付けられており、金融機関の係員への質問や係員を呼び出す際等に顧客が使用するものである。
【００１６】
７は装置監視カメラであり、店舗内の所定の監視地点に設置されており、その監視地点から自動取引装置１を利用する顧客が視界に入るように映像を撮影するカメラであり、撮影している映像を映像監視端末１０に送信する機能を有する。
【００１７】
映像監視端末１０は、店舗内に設けられる監視室等の装置監視カメラ７で撮影された映像を係員が確認する部屋に設置され、装置監視カメラ７と通信可能に接続すると共に、専用回線１１を介して自動取引装置１と通信可能に接続する機能を有する。
【００１８】
１２は端末表示操作部であり、ＣＲＴディスプレイまたは液晶ディスプレイ等の表示部と、係員が操作を行うためのキーボードやマウス等の操作部とによって構成される。
【００１９】
１３は端末制御部であり、端末記憶部１４に格納された監視処理制御プログラムに従って、装置監視カメラ７から映像監視端末１０に送られてきた映像を解析し、解析した映像から顧客が通話しながら自動取引装置１を利用しているときに当該電話が携帯電話か問い合せ用電話機６のどちらであるかを判定する他、自動取引装置１の操作表示部５に振込め詐欺に対する注意を喚起する画面を表示させる電文を送信する監視処理を遂行する機能を有し、その遂行にあたっては自動取引装置１や装置監視カメラ７と通信可能に接続することにより、必要な情報を受け取って行うものとなっている。
【００２０】
１４は端末記憶部であり、自動取引装置１の監視処理制御プログラムを格納し、装置監視カメラ７から受信した映像を記憶して蓄積する他、端末制御部１３による処理結果等を記憶する。
【００２１】
そのため、端末制御部１３と端末記憶部１３が格納する監視処理制御プログラムとの各ステップにより、装置監視カメラ７から受信した映像をもとに自動取引装置１を利用している顧客が通話中であるか否か等の顧客の様子を解析する解析手段や、その解析手段によって顧客が通話している電話が携帯電話あるいは問い合せ用電話のどちらかを判定する判定手段、端末制御部１３による処理結果等を端末記憶部１４に記憶させる記憶手段等の本実施例のハードウェアとしての各種の機能手段が形成される。
【００２２】
上述した構成の作用について、特に図２に示す実施例１の監視システムの動作を示すフローチャートを用い、自動取引装置１の処理をＳで示すステップ、映像監視端末１１の処理をＳＡで示すステップに従って説明する。
【００２３】
Ｓ１、自動取引装置１の制御部２は、表示操作部５に入金取引、出金取引、振込取引等の各種取引選択キーを配した取引選択画面を表示して待機する。
【００２４】
ここでは顧客は取引選択画面から振込取引キーを押下する。
【００２５】
Ｓ２、制御部２は、振込取引キーの押下を認識すると、表示操作部５に取引カードの挿入を促す画面を表示し、その画面に従って顧客が取引カードを挿入すると、図示しないカードリードライト部によって取引カードからカード情報を読取って記憶部３に記憶する。
【００２６】
Ｓ３、制御部２は、表示操作部５に振込先の口座番号や振込金額等の入力欄を配した振込内容入力画面を表示する。
【００２７】
顧客は、振込内容入力画面に従って振込先の口座番号や振込金額等の入力を行う。
【００２８】
一方、映像監視端末１０側では、上記のステップＳ１〜Ｓ３の実行中に以下に示すステップＳＡ１からの処理を行っているものとする。
【００２９】
ＳＡ１、映像監視端末１０の端末制御部１３は、装置監視カメラ７により撮影した自動取引装置１の映像を受信してその受信した映像の解析を行う。
【００３０】
ＳＡ２、端末制御部１３は、受信した自動取引装置１の映像から自動取引装置１を利用している顧客が通話を行っているか否かを判定し、通話を行っていると判定した場合はステップＳＡ３に進み、通話を行っていないと判定した場合はステップＳＡ１に戻り、装置監視カメラ７から受信した映像の解析を行う。
【００３１】
ステップＳＡ２における顧客が通話を行っているか否かの判定は装置監視カメラ７で撮影された映像にもとづくもので、例えば画像処理によって自動取引装置１を利用している顧客が顔の位置を特定すると共に、その特定した顔で接触する電話の有無を特定し、電話が有ることを確認することで、顧客が通話中であると判定する。
【００３２】
なお、上記の電話の有無を特定する場合、撮影した画像に電話が映る場合は容易であるが、顧客の手によって見えなくなる場合もある。そのときは顧客が電話を保持した状態では顧客の手は顔の横にあってかつ顔と手は同じように動くため顧客の顔とその顔に横に常に手があることを特定したときに電話を保持しているものと見なし、通話中であると判定するようにしてもよい。
【００３３】
ＳＡ３、端末制御部１３は、通話を行っていると判定すると、その顧客が問い合せ用電話機６で通話を行っているか否かの判定を行う。
【００３４】
ここで、図３は通話中の顧客の後ろ姿を示す説明図であり、（ａ）は携帯電話で通話している顧客の後ろ姿、（ｂ）は問い合せ用電話機で通話している顧客の後ろ姿を示している。
【００３５】
図３（ａ）に示す顧客が携帯電話を利用して通話をしている場合に比べて、図３（ｂ）に示す顧客が問い合せ用電話機６を利用して通話をしている場合は問い合せ用電話機６が備え付けられている箇所からコードが延びて受話器に接続している状態となる。
【００３６】
そのため、装置監視カメラ７で撮影される映像において、顧客が保持する受話器に接続するコードが映っていた場合は顧客が問い合せ用電話機７を使用していることとなり、顧客が保持する受話器に接続するコードが映っていない場合は顧客が携帯電話を使用していることとなる。
【００３７】
よって、端末制御部１３は、顧客が問い合せ用電話機６を用いて通話を行っているか否を、装置監視カメラ７から受信した映像にもとづいて顧客が保持する電話へのコードの接続有無で判定し、顧客の電話にコードが接続されていないと判定した場合は次のステップＳＡ４に進み、顧客の電話にコードが接続されていると判定した場合はステップＳＡ１に戻り、装置監視カメラ７から受信した映像の解析を行う。
【００３８】
ＳＡ４、端末制御部１３は、顧客が携帯電話を使っていると判定した時点からその携帯電話の使用時間の計測を開始する。
【００３９】
ＳＡ５、端末制御部１３は、計測している使用時間が所定時間（２分とする。）を経過したか否かを判定し、所定時間の経過を確認したときはステップＳＡ６に進み、所定時間の経過前に顧客が携帯電話の使用を終了した場合はステップＳＡ１に戻って装置監視カメラ７から受信している映像の解析を行う。
【００４０】
なお、顧客が携帯電話の使用を終了したか否かの判定は、撮影した映像をもとに顧客の顔の横にある携帯電話が顔から離れて一定時間（例えば、５秒）経過した場合、あるいは携帯電話を保持する顧客の手が顔から離れて一定時間（例えば、５秒）経過した場合に、携帯電話の使用が終了したものとみなし、携帯電話の使用が終了した時点で上記ステップＳＡ５における時間の計測を終了する。
【００４１】
ＳＡ６、端末制御部１３は、計測している携帯電話の使用時間が、所定時間経過していることを確認すると、顧客が振込め詐欺の被害にあう可能性がある旨を示す詐欺警告電文を自動取引装置１に送信する。
【００４２】
Ｓ４、自動取引装置１の制御部２は、上記のステップＳ３で表示した振込内容入力画面の各入力欄への入力がなされる前に映像監視端末１０から詐欺警告電文を受信したか否かの判定を行う。
【００４３】
ここでは上記のステップＳＡ６で送信された詐欺警告電文が受信しているものとし、制御部２は、詐欺警告電文を受信すると、表示操作部５に表示している振込内容入力画面を切替えて振込み詐欺にあう可能性がある旨の文言や取引中止の可否を決定する取引中止キーおよび取引続行キー等を配した詐欺警告画面に切替える。
【００４４】
Ｓ５、制御部２は、詐欺警告画面の取引中止キーが押下されたときはステップＳ７に進み、取引続行キーが押下されたときは次のステップＳ６に移行する。
【００４５】
Ｓ６、制御部２は、取引続行キーが押下されたときは、表示操作部５に表示する画面を詐欺警告画面から振込内容入力画面に戻し、通常通りに振込取引処理を実行して終了する。
【００４６】
Ｓ７、制御部２は、取引中止キーが押下されたときは、振込取引を中止すると共に挿入されている取引カードを顧客に返却して終了する。
【００４７】
以上説明したように、本実施例においては、装置監視カメラ７によって撮影した映像から自動取引装置を操作中の顧客が携帯電話と問い合せ用電話機のどちらを使用しているかを特定し、携帯電話を使用していた場合にその使用時間を計測して所定時間経過したときに自動取引装置の振込め詐欺の可能性を指摘する詐欺警告画面を表示することで、振込め詐欺の事前防止を図ることができる。
【００４８】
また、顧客が携帯電話と問い合せ用電話機のどちらを使用しているかを特定しているので、顧客が金融機関の係員への問い合せとして、問い合せ用電話機を使用しているときに誤って詐欺警告画面を表示するのを防止できる。
【００４９】
なお、上記実施例１において、詐欺警告電文を受信した自動取引装置は詐欺警告画面を表示して取引中止キーあるいは取引続行キーを入力させるようにしたが、これに限らず自動取引装置にスピーカを設けて詐欺警告画面を表示する際に警告音を同時に鳴らすようにして係員を呼び出すようにしてもよく、また振込取引を強制的に中止して、表示操作部に窓口に問い合わせるように指示する画面を表示するようにしてもよい。
【実施例２】
【００５０】
本実施例の監視システムの構成は、上記実施例１の構成と同様であるが問い合せ用電話機７が通話中であるか否か情報を映像監視端末１０が取得する点が相違する。
【００５１】
図４は実施例２の監視システムを示すブロック図である。
【００５２】
図４に示すように本実施例の監視システムは、問い合せ用電話機６と映像監視端末１０同士がＲＳ２３２Ｃケーブル等の電話線１５によって接続している。
【００５３】
端末制御部１３は、本実施例で接続している問い合せ用電話機６から、その受話器が定位置に戻され未使用の状態（オンフックという。）となったときの信号を受信し、さらに受話器が外されて使用中の状態（オフフックという。）となったときの信号を受信することによって問い合せ用電話機６が通話中か否かを認識する機能を有する。
【００５４】
端末制御部１３は、問い合せ用電話機６から最後に受信した信号にもとづき、問い合せ用電話機６が使用中か未使用かを示す情報（使用状態情報という。）を端末記憶部１４に記憶する。
【００５５】
上記の構成の作用について、図５に示す実施例２の監視システムの動作を示すフローチャートを用い、自動取引装置１の処理をＳＢで示すステップ、映像監視端末１０の処理をＳＣで示すステップに従って説明する。
【００５６】
ＳＢ１、自動取引装置１の制御部２は、表示操作部５に入金取引、出金取引、振込取引等の各種取引選択キーを配した取引選択画面を表示して待機する。
【００５７】
ここでは顧客は取引選択画面から振込取引キーを押下する。
【００５８】
ＳＢ２、制御部２は、振込取引キーの押下を認識すると、表示操作部５に取引カードの挿入を促す画面を表示し、その画面に従って顧客が取引カードを挿入すると、図示しないカードリードライト部によって取引カードからカード情報を読取って記憶部３に記憶する。
【００５９】
ＳＢ３、制御部２は、表示操作部５に振込先の口座番号や振込金額等の入力欄を配した振込内容入力画面を表示する。
【００６０】
顧客は、振込内容入力画面に従って振込先の口座番号や振込金額等の入力を行う。
【００６１】
一方、映像監視端末１０側では、上記のステップＳ１〜Ｓ３の実行中に以下に示すステップＳＡ１からの処理を行っているものとする。
【００６２】
ＳＣ１、映像監視端末１０の端末制御部１３は、装置監視カメラ７により撮影した自動取引装置１の映像を受信してその受信した映像の解析を行う。
【００６３】
ＳＣ２、端末制御部１３は、受信した自動取引装置１の映像から自動取引装置１を利用している顧客が通話を行っているか否かを判定し、通話を行っていると判定した場合はステップＳＣ３に進み、通話を行っていないと判定した場合はステップＳＣ１に戻り、装置監視カメラ７から受信した映像の解析を行う。
【００６４】
ステップＳＣ２における顧客が通話を行っているか否かの判定は上記実施例１と同様であって、装置監視カメラ７で撮影された映像を用いた画像処理で行う。
【００６５】
ＳＣ３、端末制御部１３は、通話を行っていると判定すると、その顧客が問い合せ用電話機６で通話を行っているか否かの判定を行う。
【００６６】
ここで、本実施例は上記したように、端末制御部１３は問い合せ用電話機６から最後に受信した信号に基づく使用状態情報を端末記憶部１４に記憶している。
【００６７】
そのため端末制御部１３は端末記憶部１４から使用状態情報を読み出し、その使用状態情報から問い合せ用電話機６がオンフックの状態であって未使用であると判定した場合は次のステップＳＣ４に進み、問い合せ用電話機６がオフフックの状態であって使用中であると顧客の電話にコードが接続されていると判定した場合はステップＳＣ１に戻り、装置監視カメラ７から受信した映像の解析を行う。
【００６８】
ＳＣ４、端末制御部１３は、顧客が携帯電話を使っていると判定した時点からその携帯電話の使用時間の計測を開始する。
【００６９】
ＳＣ５、端末制御部１３は、計測している使用時間が所定時間（２分とする。）を経過したか否かを判定し、所定時間の経過を確認したときはステップＳＣ６に進み、所定時間の経過前に顧客が携帯電話の使用を終了した場合はステップＳＣ１に戻って装置監視カメラ７から受信している映像の解析を行う。
【００７０】
なお、顧客が携帯電話の使用を終了したか否かの判定は、撮影した映像をもとに顧客の顔の横にある携帯電話が顔から離れて一定時間（例えば、５秒）経過した場合、あるいは携帯電話を保持する顧客の手が顔から離れて一定時間（例えば、５秒）経過した場合に、携帯電話の使用が終了したものとみなし、携帯電話の使用が終了した時点で上記ステップＳＣ５における時間の計測を終了する。
【００７１】
ＳＣ６、端末制御部１３は、計測している携帯電話の使用時間が、所定時間経過していることを確認すると、顧客が振込め詐欺の被害にあう可能性がある旨を示す詐欺警告電文を自動取引装置１に送信する。
【００７２】
ＳＢ４、自動取引装置１の制御部２は、上記のステップＳ３で表示した振込内容入力画面の各入力欄への入力がなされる前に映像監視端末１０から詐欺警告電文を受信したか否かの判定を行う。
【００７３】
ここでは上記のステップＳＡ６で送信された詐欺警告電文が受信しているものとし、制御部２は、詐欺警告電文を受信すると、表示操作部５に表示している振込内容入力画面を切替えて振込み詐欺にあう可能性がある旨の文言や取引中止の可否を決定する取引中止キーおよび取引続行キー等を配した詐欺警告画面に切替える。
【００７４】
ＳＢ５、制御部２は、詐欺警告画面の取引中止キーが押下されたときはステップＳ７に進み、取引続行キーが押下されたときは次のステップＳ６に移行する。
【００７５】
ＳＢ６、制御部２は、取引続行キーが押下されたときは、表示操作部５に表示する画面を詐欺警告画面から振込内容入力画面に戻し、通常通りに振込取引処理を実行して終了する。
【００７６】
ＳＢ７、制御部２は、取引中止キーが押下されたときは、振込取引を中止すると共に挿入されている取引カードを顧客に返却して終了する。
【００７７】
以上説明したように、本実施例は上記実施例１の効果に加えて、問い合せ用電話機のコードの色合いと背景の色合いとが似ている場合や映像が粗雑な状態では、問い合せ用電話機のコードを認識できなく、問い合せ用電話機による通話を携帯電話による通話と誤判定してしまうことがあるが、本実施例では問い合せ用電話機と携帯電話のどちらであるかの判定を正確に行うことができる。
【００７８】
なお、上記実施例２においては、端末制御部１３は問い合せ用電話機６がオンフックまたはオフフックの状態となったときに、そのときの状態を示す信号を受信しておくことで、問い合せ用電話機６が使用中か否かを認識するものとして説明したが、これに限らず装置監視カメラ７から受信した映像を解析した結果、顧客が通話を行っている場合にそれが問い合せ用電話機６あるいは携帯電話のどちらを用いている通話であるかを確認するときに、問い合せ用電話６に対して現在の状態を通知させるための電文を送信することで、問い合せ用電話機６からそのときの状態を示す信号を受信し問い合せ用電話機６が使用中か否かを認識するようにしてもよい。
【符号の説明】
【００７９】
１    自動取引装置
２    制御部
３    記憶部
５    表示操作部
６    問い合せ用電話機
７    装置監視カメラ
１０  映像監視端末
１１  専用回線
１２  端末表示操作部
１３  端末制御部
１４  端末記憶部
１５  電話線
【図１】
2010204901.tif 000003
【図２】
2010204901.tif 000004
【図３】
2010204901.tif 000005
【図４】
2010204901.tif 000006
【図５】
2010204901.tif 000007